(57)【要約】【課題】通信モジュールが使用されている場合に、該通信モジュールにより送信される電波を妨害電波であると誤認識することを防止する。【解決手段】デジタルテレビ放送局により送信される電波を受信するデジタル放送受信装置は、デジタルテレビ放送局からの受信信号の受信レベルに応じて、出力が一定となるように利得を制御する自動利得制御部と、受信信号に妨害電波が含まれる場合に、該妨害電波が通信モジュールから送信される電波であることを示す第１の信号を受信する受信部とを有する。自動利得制御部は、第１の信号が受信された場合に、利得の制御を停止する。【選択図】図１
2011146937.tif 000002
【特許請求の範囲】
【請求項１】
デジタルテレビ放送局により送信される電波を受信するデジタル放送受信装置であって、
前記デジタルテレビ放送局からの受信信号の受信レベルに応じて、出力が一定となるように利得を制御する自動利得制御部と、
前記受信信号に妨害電波が含まれる場合に、該妨害電波が通信モジュールから送信される電波であることを示す第１の信号を受信する受信部と
を有し、
前記自動利得制御部は、前記受信部により第１の信号が受信された場合に、利得の制御を停止するデジタルデジタル放送受信装置。
【請求項２】
請求項１に記載のデジタル放送受信装置において、
車載機は、通信モジュールにより設定されるべき出力レベルに基づいて、該出力レベルが所定の規定値以上である場合に、第１の信号を生成し、当該デジタル放送受信装置に出力するデジタルデジタル放送受信装置。
【請求項３】
請求項２に記載のデジタル放送受信装置において、
前記所定の規定値は、当該デジタル放送受信装置により受信を妨害する電波であると判定される電波出力レベルであるデジタルデジタル放送受信装置。
【請求項４】
デジタルテレビ放送局により送信される電波を受信するデジタル放送受信装置における受信方法であって、
前記デジタルテレビ放送局からの受信信号のレベルに応じて、出力が一定となるように利得を制御する自動利得制御ステップと、
前記受信信号に妨害電波が含まれる場合に、該妨害電波が通信モジュールから送信される電波であることを示す第１の信号を受信する受信ステップと
を有し、
前記自動利得制御ステップは、前記受信ステップにより第１の信号が受信された場合に、利得の制御を停止する受信方法。
【発明の詳細な説明】
【技術分野】
【０００１】
本発明は、デジタル放送受信装置に関する。
【背景技術】
【０００２】
近年、車両などの移動体には、デジタル放送受信装置と通信モジュールとが搭載される。
【０００３】
該デジタル放送受信装置は、地上波デジタルテレビジョン放送としての、鮮明画像の提供が可能な高ビットレートの固定受信装置向けデジタル放送と、移動体での受信に適した低ビットレートの移動体受信装置向けデジタル放送と、を共に受信することができる。
【０００４】
該通信モジュールは、ナビゲーションシステムなどの各種機器に組み込んで利用される。該通信モジュールは、緊急通報、交通情報などの通信、カーナビにおける車内ハンズフリー通話を行うことができる。通信モジュールは、データコミュニケーションモジュール(DCM:  Data  Communication  Module)と呼ばれることもある。
【先行技術文献】
【特許文献】
【０００５】
【特許文献１】特開２００３−２４４０１５号公報
【特許文献２】特開２００４−２０７８８０号公報
【発明の概要】
【発明が解決しようとする課題】
【０００６】
移動体用デジタル放送受信装置向けのデジタル放送は、極超短波（UHF）の周波数470MHz-770MHzの帯域幅を使用する。該帯域幅には、50のチャネルが設けられる。該50のチャネルは、「物理チャンネル」Ch.13-Ch.62と呼ばれることもある。
【０００７】
一方、VHF1  -  12chとUHF53  -  62chの周波数帯は地上デジタル音声放送（地上デジタルラジオ）、高度道路交通システム(ITS:  Intelligent  Transport  Systems)、携帯電話、携帯電話向けの放送、業務用通信、公共機関向け通信などの用途に使用される。
【０００８】
従って、通信モジュールにより無線送信される電波の周波数帯に近い周波数で、移動体用デジタル放送が送信されることになる。デジタル放送の周波数帯と通信モジュールにより無線送信される周波数帯とが近いため、移動体用デジタル放送受信装置では、該通信モジュールにより無線送信される電波による影響によりゲインコントロールが動作し、感度を抑圧する制御が行われる場合がある。
【０００９】
移動体用デジタル放送受信装置による感度を抑圧する制御は、特に、無線基地局から無線送信される電波が弱電界となる地域などを、車両が走行している場合に行われる。弱電界地域を車両が走行中に、通信モジュールから無線送信される電波の出力がアップされることが多いためである。電波の出力がアップされると、移動体用デジタル放送受信装置は、妨害波が発生したと誤認識することにより感度を抑圧する制御を行う。移動体用デジタル放送受信装置により感度を抑圧する制御が行われる結果、デジタル放送が視聴できるエリアにおいてもデジタル放送を視聴できなくなる現象が発生したり、固定受信装置向けデジタル放送から移動体受信装置向けデジタル放送に切り替えられたりする現象が発生することがある。
【００１０】
例えば、固定受信装置向けデジタル放送と移動体受信装置向けデジタル放送との間で同一番組を放送するサイマル放送が行われる状況では、デジタル放送受信装置は、受信し、出力する放送を固定受信装置向けデジタル放送と移動体受信装置向けデジタル放送との間で適宜選択的に切り替えることができる。移動速度や環境などの状況によっては移動体でも相対的に高品位の固定受信装置向け放送を受信できる可能性があるためである。
【００１１】
受信し、出力する放送の切り替えは、以下の条件で行われる。例えば、固定受信装置向けデジタル放送から移動体受信装置向けデジタル放送への切り替えは、受信状態が悪くなってから所定の時間が経過した場合に行われる。また、例えば、移動体受信装置向けデジタル放送から固定受信装置向けデジタル放送への切り替えは、受信状態が良くなってから所定の時間が経過した場合に行われる。
【００１２】
通信モジュールにより無線送信される電波によりゲインコントロールが動作し、感度を抑圧する制御が行われるのは、上述したように、デジタル放送受信装置が通信モジュールによる電波を妨害波であると誤認識するために生じる。
【００１３】
通信モジュールによる電波を妨害波であると誤認識するような現象が発生すると、固定受信装置向けデジタル放送のために用意されたコンテンツを利用できないことになるため、ユーザにとって不利益となる。
【００１４】
本発明は、上述の点に鑑みてなされたものであり、通信モジュールが使用されている場合に、該通信モジュールにより送信される電波を妨害電波であると誤認識することを防止できるデジタル放送受信装置及び受信方法を提供することを目的とする。
【課題を解決するための手段】
【００１５】
本デジタル放送受信装置は、
デジタルテレビ放送局により送信される電波を受信するデジタル放送受信装置であって、
前記デジタルテレビ放送局からの受信信号の受信レベルに応じて、出力が一定となるように利得を制御する自動利得制御部と、
前記受信信号に妨害電波が含まれる場合に、該妨害電波が通信モジュールから送信される電波であることを示す第１の信号を受信する受信部と
を有し、
前記自動利得制御部は、前記受信部により第１の信号が受信された場合に、利得の制御を停止する。
【００１６】
本受信方法は、
デジタルテレビ放送局により送信される電波を受信するデジタル放送受信装置における受信方法であって、
前記デジタルテレビ放送局からの受信信号のレベルに応じて、出力が一定となるように利得を制御する自動利得制御ステップと、
前記受信信号に妨害電波が含まれる場合に、該妨害電波が通信モジュールから送信される電波であることを示す第１の信号を受信する受信ステップと
を有し、
前記自動利得制御ステップは、前記受信ステップにより第１の信号が受信された場合に、利得の制御を停止する。
【発明の効果】
【００１７】
開示のデジタル放送受信装置及び受信方法によれば、通信モジュールが使用されている場合に、該通信モジュールにより送信される電波を妨害電波であると誤認識することを防止できる。
【図面の簡単な説明】
【００１８】
【図１】本実施例に従ったシステムの一例を示す説明図である。
【図２】本実施例に従ったデジタル放送受信装置を示す機能ブロック図である。
【図３】本実施例に従った車載機を示す機能ブロック図である。
【図４】本実施例に従った通信モジュールを示す機能ブロック図である。
【図５】本実施例に従ったデジタル放送受信装置の動作を示すフローチャートである。
【図６】本実施例に従った車載機の動作を示すフローチャートである。
【図７】本実施例に従った通信モジュールの動作を示すフローチャートである。
【発明を実施するための形態】
【００１９】
次に、本発明を実施するための形態を、以下の実施例に基づき図面を参照しつつ説明する。
なお、実施例を説明するための全図において、同一の機能を有するものは同一符号を用い、繰り返しの説明は省略する。
【００２０】
＜システム＞
図１は、本実施例に従ったシステムを示す。
【００２１】
本システムは、デジタル放送受信装置１００と、通信モジュール３００とを有する。該デジタル放送受信装置１００、及び通信モジュール３００は、車載機２００と接続される。該車載機２００には、カーナビゲーションが含まれる。
【００２２】
デジタル放送受信装置１００は、デジタルテレビ放送局５００により送信される電波を受信する。該電波には、地上波デジタルテレビジョン(DTV:  Digital  Television)放送が含まれる。
【００２３】
通信モジュール３００は、無線基地局４００との間で無線通信を行う。例えば、通信モジュール３００は、無線基地局４００を介して、該無線基地局４００と接続される通信網に接続されたサーバと接続を行うようにしてもよい。また、通信モジュール３００は、無線基地局４００を介して、該無線基地局４００と接続される通信網に接続された他の無線基地局と接続を行うようにしてもよい。他の無線基地局と接続を行うことにより、該他の無線基地局と接続された他の通信モジュール又は携帯端末との間で通信を行うことができる。
【００２４】
本システムは、車両などの移動体に搭載される。移動体には、車両、自動二輪車、列車、船舶、航空機、ロボットなど、人の移動に伴い移動する携帯端末などの情報端末などが含まれてもよい。
【００２５】
車載機２００は、通信モジュール３００からの出力レベルと、デジタル放送受信装置１００におけるデジタルテレビ放送局５００から送信される電波の受信レベルとをモニターする。例えば、車載機２００は、ディスプレイを有する。該ディスプレイに、通信モジュール３００からの出力レベル及び／又はデジタルテレビ放送局５００から送信される電波の受信レベルが表示されてもよい。また、ディスプレイに触れることにより、操作できるものであってもよい。該車載機２００は、通信モジュール３００からの出力レベルが所定の閾値以上となる場合、デジタル放送受信装置１００における自動利得制御部における自動利得制御を停止させる信号（以下、「自動利得制御停止信号」とよぶ）を出力する。デジタル放送受信装置１００は、該自動利得制御停止信号により自動利得制御を停止する。自動利得制御を停止させることにより、感度を抑圧する制御が停止されるため、デジタル放送が視聴できるエリアにおいてもデジタル放送を視聴できなくなる現象が発生したり、固定受信装置向けデジタル放送から移動体受信装置向けデジタル放送に切り替えられたりする現象が発生することがない。自動利得制御が停止されるのは自動利得制御停止信号が受信された場合のみであり、自動利得制御停止信号が受信されない場合には自動利得制御が行われる。
【００２６】
車両に、通信モジュール３００と、デジタル放送受信装置１００とが搭載される場合に、通信モジュール３００から出力される電波がデジタル放送受信装置１００に受信されることがある。両アンテナの結合度が高いためである。通信モジュール３００から出力される電波がデジタル放送受信装置１００に受信されることによりデジタル放送受信装置１００において自動利得制御（ゲインコントロール）が行われ、感度が抑圧される場合がある。通信モジュール３００により送信される電波が妨害電波であると誤認識されることにより、デジタル放送受信装置１００により感度が抑圧される場合がある。通信モジュール３００により送信される電波が妨害電波であると誤認識されることにより感度が抑圧されたにも関わらず、ユーザにとっては受信不良であると印象を与えてしまうため、好ましくない。
【００２７】
アンテナの結合度を下げるために、該アンテナの結合度を下げることも考えられるが、車両内に確保できる距離では、必要十分なアイソレーションを確保するのは不可能である。
【００２８】
そこで、本実施例では、通信モジュール３００からの出力レベルが所定の閾値以上となる場合、デジタル放送受信装置１００における自動利得制御部における自動利得制御を停止させる。
【００２９】
＜デジタル放送受信装置＞
本デジタル放送受信装置１００は、アンテナ１０２を有する。該アンテナ１０２は、デジタルテレビ放送局５００により送信される電波を受信する。該アンテナ１０２が複数のアンテナが含まれてもよい。該受信信号は、自動利得制御(Auto  Gain  Control)部１０４に入力される。
【００３０】
本デジタル放送受信装置１００は、自動利得制御部１０４を有する。自動利得制御部１０４は、アンテナ１０２と接続される。自動利得制御部１０４は、入力信号のレベルに応じて利得を制御し、出力が常に一定となるように制御する。例えば、自動利得制御部１０４は、アンテナ１０２からの入力信号のレベルに応じて利得を制御する。具体的には、自動利得制御部１０４は、入力信号が弱い場合には感度を上げる制御を行い、逆に入力信号が強い場合には感度を下げる制御を行う。感度を制御することにより出力が常に一定となるように、入力信号を可変制御できる。入力信号を可変制御できることにより、弱電力信号が受信された場合には、フルゲインで動作するため信号対雑音比  (S/N:  signal-to-noise  ratio)が向上する。一方、強電力信号が受信された場合や、強い隣接チャネルからの妨害電波が発生した場合には、高周波増幅回路の利得を下げることができるため、混変調歪みを抑えることができる。
【００３１】
デジタル放送では、連続するチャンネルへの配置が許容されるため、隣接するチャネルからの妨害電波による干渉が生じる場合がある。アンテナ１０２からの入力信号のレベルに応じて利得を制御することにより、該干渉の影響を低減できる。自動利得制御部１０４は、利得が制御された受信信号をチューナ１０６に入力する。また、自動利得制御部１０４は、デジタル放送の受信レベルを測定し、該受信レベルをマイコン１０８に通知する。
【００３２】
本デジタル放送受信装置１００は、チューナ１０６を有する。チューナ１０６は、自動利得制御部１０４と接続される。チューナ１０６は、自動利得制御部１０４により利得が制御された受信信号から所望のチャネル周波数を選局する。該チューナ１０６により選局された所望のチャネル周波数は、中間周波数(IF:  Intermediate  Frequency)信号として出力される。該IF信号は、中心周波数4.06MHzのパスバンド信号である。該パスバンド信号は、直交波周波数分割多重(OFDM:  Orthogonal  Frequency  Division  Multiplexing)復調され、トランスポートストリーム（TS:  Transport  Stream）信号として出力される。
【００３３】
本デジタル放送受信装置１００は、マイコン１０８を有する。マイコン１０８は、自動利得制御部１０４と接続される。
【００３４】
図２は、マイコン１０８を示す機能ブロック図である。
【００３５】
マイコン１０８は、デジタル放送受信レベル取得部１０８２を有する。デジタル放送受信レベル取得部１０８２は、自動利得制御部１０４と接続される。デジタル放送受信レベル取得部１０８２は、自動利得制御部１０４からデジタル放送の受信レベルを取得する。デジタル放送受信レベル取得部１０８２は、自動利得制御部１０４から取得したデジタル放送の受信レベルを車載機２００へ出力する。
【００３６】
マイコン１０８は、自動利得制御停止部１０８４を有する。自動利得制御停止部１０８４は、自動利得制御部１０４と接続される。自動利得制御停止部１０８４には、車載機２００から必要に応じて自動利得制御停止信号が入力される。自動利得制御停止部１０８４は、車載機２００により入力された自動利得制御停止信号に従って、自動利得制御部１０４に自動利得制御を停止させるために、該自動利得制御停止信号を入力する。
【００３７】
本デジタル放送受信装置１００は、メモリ１１０を有する。メモリ１１０は、マイコン１０８と接続される。メモリ１１０は、アプリケーション、オペレーティングシステム(OS:  Operating  System)を有する。例えば、メモリ１１０は、コンピュータ内でデータやプログラムを記憶する外部記憶装置であってもよい。例えば、ハードディスク(hard  disk,  fixed  disk)やフロッピー（登録商標）ディスク(floppy  disk)、MO(Magneto-Optical  disk)、CD-R(Compact  Disk  Recordable)、磁気テープなどが含まれる。アプリケーションは、ユーザが本システム上で実行する作業を実施する機能を有するソフトウェアである。例えば、アプリケーションには、デジタル放送を視聴するためのプログラムなどが含まれる。また、例えば、コンピュータをデジタル放送受信レベル取得部１０８２と、自動利得制御停止部１０８４として機能されるプログラムが含まれてもよい。オペレーティングシステムは、本システムにおいて、ハードウェアを抽象化したインターフェースをアプリケーションソフトウェアに提供するソフトウェアである。
【００３８】
＜車載機＞
本車載機２００は、マイコン２０２を有する。
【００３９】
図３は、マイコン２０２を示す機能ブロック図である。
【００４０】
マイコン２０２は、自動利得制御停止判定部２０２２を有する。
【００４１】
自動利得制御停止判定部２０２２は、通信モジュール３００と、デジタル放送受信装置１００と接続される。該自動利得制御停止判定部２０２２には、通信モジュール３００から出力される電波の出力レベルが入力される。該自動利得制御停止判定部２０２２には、デジタル放送受信装置１００からデジタル放送の受信レベルが入力される。
【００４２】
自動利得制御停止部２０２２は、通信モジュール３００により入力されるべき出力レベルに基づいて、デジタル放送受信装置１００による自動利得制御を継続すべきかどうかを判定する。さらに、自動利得制御停止部２０２２は、デジタル放送受信装置１００により入力されるべきデジタル放送の受信レベルに基づいて、デジタル放送受信装置１００による自動利得制御を継続すべきかどうかを判定するようにしてもよい。
【００４３】
例えば、自動利得制御停止判定部２０２２は、出力レベルが所定の規定値以上であるかどうかを判定するようにしてもよい。該所定の規定値は、デジタル放送受信装置１００により受信を妨害する電波が発生したと推定される出力レベルとしてもよい。自動利得制御停止判定部２０２２は、通信モジュール３００により入力された出力レベルが所定の規定値以上であると判定される場合、デジタル放送受信装置１００に自動利得制御停止信号を出力すると判定する。
【００４４】
さらに、自動利得制御停止判定部２０２２は、デジタル放送の受信レベルが所定の規定値未満であるかどうかを判定するようにしてもよい。該所定の規定値は、デジタル放送受信機１００によりデジタル放送を視聴できる受信レベルとしてもよい。例えば、該所定の規定値をデジタル放送受信装置１００により固定受信装置向け放送を視聴できる受信レベルとしてもよい。自動利得制御停止判定部２０２２は、デジタル放送受信装置１００により入力されたデジタル放送の受信レベルが、所定の規定値未満であると判定される場合、デジタル放送受信装置１００に自動利得制御を停止するかどうかを判定するようにしてもよい。
【００４５】
自動利得制御停止判定部２０２２は、自動利得制御を停止するかどうかの判定結果を自動利得制御停止信号生成部２０２４に入力する。
【００４６】
マイコン２０２は、自動利得制御停止信号生成部２０２４を有する。自動利得制御停止信号生成部２０２４は、自動利得制御停止判定部２０２２と接続される。自動利得制御停止信号生成部２０２４には、自動利得制御停止判定部２０２２により自動利得制御を停止するかどうかの判定結果が入力される。自動利得制御停止信号生成部２０２４は、該判定結果に基づいて、自動利得制御を停止することを示す信号が入力された場合に、自動利得制御停止信号を生成する。該自動利得制御停止信号は、デジタル放送受信装置１００に入力される。
【００４７】
本車載機２００は、メモリ２０４を有する。メモリ２０４は、マイコン２０２と接続される。メモリ２０４は、アプリケーション、オペレーティングシステムを有する。例えば、メモリ２０４は、コンピュータ内でデータやプログラムを記憶する外部記憶装置であってもよい。例えば、ハードディスクやフロッピーディスク、MO、CD-R、磁気テープなどが含まれる。アプリケーションは、ユーザが本システム上で実行する作業を実施する機能を有するソフトウェアである。例えば、アプリケーションには、車載機、例えばカーナビゲーションとして機能させるためのプログラムなどが含まれる。また、例えば、コンピュータを自動利得制御停止判定部２０２２と、自動利得制御停止信号生成部２０２４として機能されるプログラムが含まれてもよい。オペレーティングシステムは、本システムにおいて、ハードウェアを抽象化したインターフェースをアプリケーションソフトウェアに提供するソフトウェアである。
【００４８】
＜通信モジュール＞
本通信モジュール３００は、アンテナ３０２を有する。該アンテナ３０２は、無線基地局４００により送信される電波を受信する。該アンテナ３０２には、複数のアンテナが含まれてもよい。また、アンテナ３０２は、無線基地局４００に電波を無線送信する。
【００４９】
本通信モジュール３００は、パワーアンプ３０４を有する。パワーアンプ３０４は、アンテナ３０２と接続される。パワーアンプ３０４は、マイコン３０６により入力される信号を増幅する。該増幅された信号は、アンテナ３０２により、無線基地局４００に無線送信される。パワーアンプ３０４による出力レベルはマイコン３０６により制御される。
【００５０】
本通信モジュール３００は、マイコン３０６を有する。マイコン３０６は、パワーアンプ３０４と接続される。
【００５１】
図４は、マイコン３０６を示す機能ブロック図である。
【００５２】
マイコン３０６は、出力レベル設定部３０６２を有する。出力レベル設定部３０６２は、パワーアンプ３０４と接続される。出力レベル設定部３０６２は、パワーアンプ３０４における送信電波の出力レベルを設定する。該出力レベルは、通信モジュール３００と無線基地局４００との間の距離、電波環境により変化する。出力レベル設定部３０６２は、設定されるべき出力レベルをパワーアンプ３０４に入力する。また、出力レベル設定部３０６２は、パワーアンプ３０４に設定されるべき出力レベルを出力レベル通知部３０６４に入力する。
【００５３】
マイコン３０６は、出力レベル通知部３０６４を有する。出力レベル通知部３０６４は、出力レベル設定部３０６２と接続される。出力レベル通知部３０６４には、出力レベル設定部３０６２により設定されるべき出力レベルが入力される。出力レベル通知部３０６４は、出力レベル設定部３０６２により入力された出力レベルを車載機２００に入力する。
【００５４】
本通信モジュール３００は、メモリ３０８を有する。メモリ３０８は、マイコン３０６と接続される。メモリ３０８は、アプリケーション、オペレーティングシステムを有する。例えば、メモリ３０８は、コンピュータ内でデータやプログラムを記憶する外部記憶装置であってもよい。例えば、ハードディスクやフロッピーディスク、MO、CD-R、磁気テープなどが含まれる。アプリケーションは、ユーザが本システム上で実行する作業を実施する機能を有するソフトウェアである。例えば、アプリケーションには、通信モジュールとして機能させるためのプログラムなどが含まれる。また、例えば、コンピュータを出力レベル設定部３０６２と、出力レベル通知部３０６４として機能されるプログラムが含まれてもよい。オペレーティングシステムは、本システムにおいて、ハードウェアを抽象化したインターフェースをアプリケーションソフトウェアに提供するソフトウェアである。
【００５５】
＜本システムの動作＞
本システムの動作について説明する。デジタル放送受信装置１００、車載機２００、及び通信モジュール３００それぞれについて説明する。
【００５６】
＜デジタル放送受信装置の動作＞
図５は、デジタル放送受信装置１００の動作を示すフローチャートである。
【００５７】
本デジタル放送受信装置１００は、自動利得制御停止信号が入力されたかどうかを判定する。例えば、自動利得制御停止部１０８４は、車載機２００により自動利得制御停止信号が入力されたかどうかを判定する。
【００５８】
自動利得制御停止信号が入力されたと判定された場合（ステップＳ５０２：ＹＥＳ）、本デジタル放送受信装置１００は、自動利得制御を停止する。例えば、車載機２００により入力された自動利得制御停止信号は、自動利得制御部１０４に入力される。自動利得制御部１０４は、自動利得制御停止信号が入力された場合、デジタルテレビ放送局５００からの受信信号に対する自動利得制御を停止する（ステップＳ５０４）。
【００５９】
一方、自動利得制御停止信号が入力されたと判定されない場合（ステップＳ５０２：ＮＯ）、本デジタル放送受信装置１００は、自動利得制御を継続する（ステップＳ５０６）。例えば、自動利得制御部１０４は、自動利得制御停止信号が入力されないため、デジタルテレビ放送局５００からの受信信号に対する自動利得制御を継続する。
【００６０】
本デジタル放送受信装置１００は、ステップＳ５０４により自動利得制御が行われていない受信信号又はステップＳ５０６により自動利得制御が行われた受信信号から所望のチャネルを選局する（ステップＳ５０８）。例えば、チューナ１０６には、自動利得制御部１０４により、自動利得制御が行われていない受信信号又は自動利得制御が行われた受信信号が入力される。チューナ１０６は、該受信信号から所望のチャネルを選局する（ステップＳ５０８）。
【００６１】
本デジタル放送受信装置１００は、ステップＳ５０８により選局された所望のチャネルをOFDM復調し、出力する（ステップＳ５１０）。
【００６２】
ステップＳ５０２からＳ５１０の処理は所定のタイミングで行われてもよい。所定のタイミングでア行われる場合、ステップＳ５１０の処理の後、ステップＳ５０２に戻る。
【００６３】
＜車載機の動作＞
図６は、車載機２００の動作を示すフローチャートである。
【００６４】
本車載機２００は、通信モジュール３００により出力レベルを取得する（ステップＳ６０２）。例えば、自動利得制御停止判定部２０２２は、通信モジュール３００により、出力レベルが入力される。
【００６５】
本車載機２００は、ステップＳ６０２により入力された出力レベルが所定の規定値以上であるかどうかを判定する。例えば、自動利得制御停止判定部２０２２は、ステップＳ６０２により入力された出力レベルが所定の規定値以上であるかどうかを判定する。
【００６６】
また、本車載機２００にデジタル放送受信装置１００からデジタル放送の受信レベルが入力される場合には、該受信レベルが所定の規定値未満である場合に、ステップＳ６０２により入力された出力レベルが所定の規定値以上であるかどうかを判定するようにしてもよい。
【００６７】
出力レベルが所定の規定値以上であると判定された場合（ステップＳ６０４：ＹＥＳ）、本車載機２００は、自動利得制御停止信号を生成する（ステップＳ６０６）。例えば、自動利得制御停止信号生成部２０２４は、自動利得制御停止判定部２０２２により出力レベルが所定の規定値以上である判定された場合に自動利得制御停止信号を生成する。一方、出力レベルが所定の規定値以上であると判定されない場合（ステップＳ６０４：ＮＯ）、ステップＳ６０４に戻る。出力レベルが所定の規定値以上である判定されるまで同様の動作が行われる。
【００６８】
本車載機２００は、ステップＳ６０６により生成された自動利得制御停止信号をデジタル放送受信装置１００に出力する。例えば、自動利得制御停止信号生成部２０２４により生成された自動利得制御停止信号は、デジタル放送受信装置１００に出力される。
【００６９】
ステップＳ６０２からＳ６０８の処理は所定のタイミングで行われてもよい。所定のタイミングでア行われる場合、ステップＳ６０８の処理の後、ステップＳ６０２に戻る。
【００７０】
＜通信モジュールの動作＞
図７は、通信モジュール３００の動作を示すフローチャートである。
【００７１】
本通信モジュール３００は、出力レベルを設定する（ステップＳ７０２）。例えば、出力レベル設定部３０６２は、当該通信モジュール３００により出力される電波の出力レベルを設定する。
【００７２】
本通信モジュール３００は、ステップＳ７０２により設定された出力レベルを車載機２００に通知する（ステップＳ７０４）。例えば、出力レベル通知部３０６４は、出力レベルを車載機２００に通知する。
【００７３】
本通信モジュール３００は、出力レベルに応じて、送信信号を増幅し、無線送信する（ステップＳ７０６）。例えば、パワーアンプ３０４は、出力レベル設定部３０６２により設定された出力レベルとなるように増幅し、無線送信する。
【００７４】
ステップＳ７０２からＳ７０６の処理は所定のタイミングで行われてもよい。所定のタイミングでア行われる場合、ステップＳ７０６の処理の後、ステップＳ７０２に戻る。
【００７５】
本実施例によれば、通信モジュールの出力レベルが規定値以上になった場合に、デジタル放送受信装置の自動利得制御動作を停止させることにより、デジタルテレビ受信装置が通信モジュールにより送信される電波を妨害電波であると誤認識し、自動利得制御を行うことを防止できる。該規定値は、デジタル放送受信装置により受信妨害が生じていると判定されると想定される出力レベルであるのが好ましい。
【００７６】
通信モジュールの動作とデジタル放送受信装置の動作とを統合することにより、電波環境に応じて、通信モジュール及び／又はデジタル放送受信装置を適切に動作させることができる。また、デジタル放送受信装置は、電波環境に応じて、デジタル放送を視聴したいユーザに与える影響を最低限に抑えることができる。
【００７７】
通信モジュールは、電波環境に応じて、提供可能なサービスを制限できるようにしてもよい。
【００７８】
さらに、デジタル放送受信装置におけるデジタルテレビ放送局から送信される電波の受信レベルに基づいて、該受信レベルが所定の閾値未満である場合に、通信モジュールにより送信される電波の出力レベルが規定値以上であるかどうかを判定するようにしてもよい。受信レベルが所定の閾値未満である場合に通信モジュールにより送信される電波の出力レベルが規定値以上であるかどうかを判定することにより、デジタル放送受信装置の状況に応じて、デジタル放送受信装置の自動利得制御動作を停止するかどうかを判定できる。
【００７９】
上述した実施例において、デジタル放送受信装置の自動利得制御動作を停止すると判定された場合に、通信モジュールによる出力レベルを低下させるようにしてもよい。該通信モジュールからの出力レベルを低下させる処理は、デジタル放送受信装置の自動利得制御動作を停止する処理とともに行われるようにしてもよいし、通信モジュールによる出力を低下させた後の状況に基づいて、デジタル放送受信装置の自動利得制御動作を停止させるかどうかの判定を再度行うようにしてもよい。通信モジュールによる出力レベルを低下させる処理が行われる場合には、車載機により、通信モジュールを制御するための制御信号が入力されてもよい。該制御信号により通信モジュールの出力レベルを低下させる制御が行われる。
【００８０】
本実施例によれば、これまで、デジタル放送受信装置は、車載LANを通じて妨害電波を送信する送信装置の特定、送信電波の出力値を検出していたが、該送信装置の特定、送信電波の出力値の検出を行う必要がない。該送信装置の特定、送信電波の出力値の検出を行う必要がないため、処理負荷を低減できる。
【００８１】
また、上述した実施例において、通信モジュールにより送信される電波の出力レベルに基づいて、デジタル放送受信装置の自動利得制御動作における利得の設定値を適切な値に制御するようにしてもよい。
【００８２】
また、上述した実施例において、デジタル放送の受信レベルに基づいて、通信モジュールにより提供可能なサービスに制限をかけるようにしてもよい。通信モジュールにより提供可能なサービスに制限をかける場合に、緊急通信以外のサービスを制限するのが好ましい。通信モジュールにより提供可能なサービスに制限をかける処理が行われる場合には、車載機により、通信モジュールを制御するための制御信号が入力されてもよい。該制御信号により通信モジュールにより提供可能なサービスに制限をかける制御が行われる。
【００８３】
デジタル放送の受信レベルに基づいて通信モジュールにより提供可能なサービスに制限をかけることにより、通信モジュールにより送信される電波が制限されるため、デジタル放送受信装置が通信モジュールにより送信される電波を妨害電波と誤認識している場合には、自動利得制御動作を強制的に停止させることなく、感度を抑圧する制御が停止される。
【００８４】
また、現在のオーディオモードがデジタル放送に設定されている場合には、通信モジュールを動作させないようにしてもよい。例えば、リアシートエンターテイメント(RSE)など常時デジタル放送を視聴できるシステムが適用される場合には、通信モジュールの動作によりRSEの動作が影響されるのは好ましくないためである。また、デジタル放送を視聴可能であるかどうかにより、通信モジュールを動作させるかどうかを判定するようにしてもよい。
【００８５】
また、上述した実施例において、デジタル放送受信装置に搭載されたアンテナの数を車載機に通知できるようにしてもよい。例えば、デジタル放送受信装置に搭載されるべきアンテナの数には、２アンテナ、４アンテナなどの場合がある。デジタル放送受信装置に搭載されるアンテナの数により、デジタル放送受信装置の自動利得制御動作を停止するかどうかを判定するために使用される所定の規定値も異なると想定される。そこで、デジタル放送受信装置に搭載されるアンテナの数に応じて、所定の規定値が変更されてもよい。
【００８６】
以上の実施例を含む実施形態に関し、以下の項目を開示する。
【００８７】
（１）デジタルテレビ放送局により送信される電波を受信するデジタル放送受信装置であって、
前記デジタルテレビ放送局からの受信信号の受信レベルに応じて、出力が一定となるように利得を制御する自動利得制御部と、
前記受信信号に妨害電波が含まれる場合に、該妨害電波が通信モジュールから送信される電波であることを示す第１の信号を受信する受信部と
を有し、
前記自動利得制御部は、前記受信部により第１の信号が受信された場合に、利得の制御を停止する。
【００８８】
（２）（１）に記載のデジタル放送受信装置において、
車載機は、通信モジュールにより設定されるべき出力レベルに基づいて、該出力レベルが所定の規定値以上である場合に、第１の信号を生成し、当該デジタル放送受信装置に出力する。
【００８９】
（３）（２）に記載のデジタル放送受信装置において、
前記所定の規定値は、当該デジタル放送受信装置により受信を妨害する電波であると判定される電波出力レベルである。
【００９０】
（４）デジタルテレビ放送局により送信される電波を受信するデジタル放送受信装置における受信方法であって、
前記デジタルテレビ放送局からの受信信号のレベルに応じて、出力が一定となるように利得を制御する自動利得制御ステップと、
前記受信信号に妨害電波が含まれる場合に、該妨害電波が通信モジュールから送信される電波であることを示す第１の信号を受信する受信ステップと
を有し、
前記自動利得制御ステップは、前記受信ステップにより第１の信号が受信された場合に、利得の制御を停止する。
【００９１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９２】
１００  デジタル放送受信装置
１０２  アンテナ
１０４  自動利得制御部
１０６  チューナ
１０８  マイコン
１０８２  デジタル放送受信レベル取得部
１０８４  自動利得制御停止部
１１０  メモリ
２００  車載機
２０２  マイコン
２０２２  自動利得制御停止判定部
２０２４  自動利得制御停止信号生成部
２０４  メモリ
３００  通信モジュール
３０２  アンテナ
３０４  パワーアンプ
３０６  マイコン
３０６２  出力レベル設定部
３０６４  出力レベル通知部
３０８  メモリ
４００  無線基地局
５００  デジタルテレビ放送局
６００  車載LAN
【図１】
2011146937.tif 000003
【図２】
2011146937.tif 000004
【図３】
2011146937.tif 000005
【図４】
2011146937.tif 000006
【図５】
2011146937.tif 000007
【図６】
2011146937.tif 000008
【図７】
2011146937.tif 000009